(57)【要約】【課題】電子機器の近距離無線による通信方法を改善すること。【解決手段】電子機器（例えば、スマートフォン１）は、近距離無線通信部（例えば、ＮＦＣチップ１８）と、モーションセンサ（例えば、加速度センサ１５）と、コントローラ１０と、を備える。コントローラ１０は、前記近距離無線通信部が能動的な送信が不可能な状態にあるとき、前記モーションセンサの検出結果に基づいて判別する状態が、第１の状態から第２の状態に遷移したと判別すると、前記近距離無線通信部を能動的な送信が可能な状態にする。【選択図】図４
2016092476.tif 000002
【特許請求の範囲】
【請求項１】
近距離無線通信部と、
モーションセンサと、
前記近距離無線通信部が能動的な送信が不可能な状態にあるとき、前記モーションセンサの検出結果に基づいて判別する状態が、第１の状態から第２の状態に遷移したと判別すると、前記近距離無線通信部を能動的な送信が可能な状態にするコントローラと
を備える電子機器。
【請求項２】
前記コントローラは、当該近距離無線通信部を能動的な送信が可能な状態にした後、所定時間が経過するまでに当該近距離無線通信部によって通信されない場合、当該近距離無線通信部を能動的な送信が不可能な状態にする請求項１に記載の電子機器。
【請求項３】
タッチスクリーンディスプレイをさらに備え、
前記コントローラは、前記第１の状態から前記第２の状態に遷移したと判別したとき、前記タッチスクリーンディスプレイへの接触が検出されていない場合に、前記近距離無線通信部を能動的な送信が不可能な状態を維持する請求項１または２に記載の電子機器。
【請求項４】
近距離無線通信部とモーションセンサとを備える電子機器が行う制御方法であって、
前記近距離無線通信部が能動的な送信が不可能な状態にあるときに、前記モーションセンサに基づいて状態を判別するステップと、
判別した前記状態が第１の状態から第２の状態に遷移したと判別すると、前記近距離無線通信部を能動的な送信が可能な状態にするステップと
を含む制御方法。
【請求項５】
近距離無線通信部とモーションセンサとを備える電子機器に、
前記近距離無線通信部が能動的な送信が不可能な状態にあるときに、前記モーションセンサに基づいて状態を判別するステップと、
判別した前記状態が第１の状態から第２の状態に遷移したと判別すると、前記近距離無線通信部を能動的な送信が可能な状態にするステップと
を実行させる制御プログラム。
【発明の詳細な説明】
【技術分野】
【０００１】
本出願は、電子機器、制御方法、及び制御プログラムに関する。
【背景技術】
【０００２】
携帯電話やスマートフォンなどの電子機器には、近距離無線による通信方法を用いて通信を行うものがある。例えば、特許文献１には、近距離無線回路及びインターフェースを用いて外部機器と近距離無線通信を行う技術が開示されている。
【先行技術文献】
【特許文献】
【０００３】
【特許文献１】特開２００２−３２９２２３号公報
【発明の概要】
【発明が解決しようとする課題】
【０００４】
上記の電子機器では、近距離無線による通信方法に改善の余地があった。
【課題を解決するための手段】
【０００５】
１つの態様に係る電子機器は、近距離無線通信部と、モーションセンサと、前記近距離無線通信部が能動的な送信が不可能な状態にあるとき、前記モーションセンサの検出結果に基づいて判別する状態が、第１の状態から第２の状態に遷移したと判別すると、前記近距離無線通信部を能動的な送信が可能な状態にするコントローラとを備える。
【０００６】
１つの態様に係る制御方法は、近距離無線通信部とモーションセンサとを備える電子機器が行う制御方法であって、前記近距離無線通信部が能動的な送信が不可能な状態にあるときに、前記モーションセンサに基づいて状態を判別するステップと、判別した前記状態が第１の状態から第２の状態に遷移したと判別すると、前記近距離無線通信部を能動的な送信が可能な状態にするステップとを含む。
【０００７】
１つの態様に係る制御プログラムは、近距離無線通信部とモーションセンサとを備える電子機器に、前記近距離無線通信部が能動的な送信が不可能な状態にあるときに、前記モーションセンサに基づいて状態を判別するステップと、判別した前記状態が第１の状態から第２の状態に遷移したと判別すると、前記近距離無線通信部を能動的な送信が可能な状態にするステップとを実行させる。
【図面の簡単な説明】
【０００８】
【図１】図１は、実施形態に係るスマートフォンの斜視図である。
【図２】図２は、スマートフォンの正面図である。
【図３】図３は、スマートフォンの背面図である。
【図４】図４は、スマートフォンのブロック図である。
【図５】図５は、スマートフォンによる近距離無線通信に係る制御の例を示す図である。
【図６】図６は、スマートフォンによる制御の例の処理手順を示すフローチャートである。
【図７】図７は、スマートフォンによる制御の第１の変形例に対応した処理手順を示すフローチャートである。
【図８】図８は、スマートフォンによる制御の第２の変形例に対応した処理手順を示すフローチャートである。
【発明を実施するための形態】
【０００９】
本出願に係る電子機器、制御方法、及び制御プログラムを実施するための実施形態を、図面を参照しつつ詳細に説明する。以下では、電子機器の例として、スマートフォンについて説明する。
【００１０】
（実施形態）
図１から図３を参照しながら、実施形態に係る電子機器としてのスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１１】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１２】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１４】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００１５】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１６】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１７】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をスマートフォン１がＸと判別すること」を、「スマートフォンがＸを検出する」、又は「コントローラがＸを検出する」と記載することがある。
【００１８】
図４は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、ＮＦＣチップ１８と、アンテナ１９とを有する。
【００１９】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２０】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００２１】
ボタン３Ａ〜３Ｃは、例えば、ホームボタン、バックボタン又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００２２】
照度センサ４は、スマートフォン１の周囲光の照度を検出する。照度は、照度センサ４の測定面の単位面積に入射する光束の値である。照度センサ４は、例えば、ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００２３】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）等がある。通信ユニット６は、上述した通信規格の１つ又は複数をサポートしていてもよい。
【００２４】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００２５】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２６】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００２７】
ストレージ９は、例えば、制御プログラム９Ａ、加速度データ９Ｗ、状態データ９Ｘ、ＮＦＣモードデータ９Ｙ、及び設定データ９Ｚを記憶する。加速度データ９Ｗは、スマートフォン１に作用する加速度に関する情報を含む。状態データ９Ｘは、スマートフォン１の状態に関する情報を含む。ＮＦＣモードデータ９Ｙは、ＮＦＣ（Ｎｅａｒ  Ｆｉｅｌｄ  Ｃｏｍｍｕｎｉｃａｔｉｏｎ）チップ１８の動作モードに関する情報を含む。設定データ９Ｚは、スマートフォン１の動作に関する各種の設定に関する情報を含む。
【００２８】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、他のプログラムが提供する機能と組み合わせて利用されることがある。
【００２９】
加速度データ９Ｗには、加速度センサ１５の検出結果として送信されてくる複数の加速度情報が時系列的に記憶される。加速度情報は、時間と、加速度の値といった項目を含む。時間は、加速度センサ１５によって加速度を検出した時間を示す。加速度の値は、加速度センサ１５によって検出した加速度の値を示す。
【００３０】
制御プログラム９Ａは、加速度センサ１５の検出結果に基づいて、スマートフォン１の状態を判別する機能を提供する。スマートフォン１の状態は、第１の状態、第２の状態を含む。第１の状態は、自機を携帯している利用者が動作している状態を含む。第１の状態は、例えば、歩行状態、走行状態、保持状態等を含む。歩行状態は、自機を携帯している利用者が歩行している状態である。走行状態は、自機を携帯している利用者が走行している状態である。保持状態は、手で自機を保持している利用者が移動または停止している状態である。第２の状態は、自機が他機のリーダ／ライタ、ＩＣタグ等にかざされた状態である。なお、自機を他機のリーダ／ライタ、ＩＣタグ等にかざすことで、他機のリーダ／ライタ、ＩＣタグ等に含まれるＩＣチップと通信できる。第２の状態は、静止状態を含む。静止状態は、例えば、自機が瞬間的に静止した状態、自機が置かれた状態、自機が姿勢を一定に保って移動している状態（例えば、自機が、他機のリーダ／ライタ、ＩＣタグ等の通信するための面に対してハウジング２０の所定面を平行にして移動している、いわゆる、スライドしている状態である。）等を含む。
【００３１】
スマートフォン１は、加速度センサ１５を用いることにより、利用者がスマートフォン１を手で持っている状態の振動の周波数及び振幅等のパターンを取得することができる。コントローラ１０は、制御プログラム９Ａを実行することで、加速度センサ１５によって検出された振動の周波数及び振幅等を分析して、スマートフォン１の状態を判別する制御を行う。例えば、スマートフォン１の状態を判別するにあたり、コントローラ１０は、各種状態に対応した加速度パターンのデータを用いる。加速度パターンは、例えば、判別データとしてストレージ９に予め記憶されている。コントローラ１０は、加速度センサ１５から取得した検出結果を示す加速度データ９Ｗと、加速度パターンとを照らし合わせて、一致した加速度パターンに対応付けられた状態を、スマートフォン１の状態として判別する。なお、パターンの一致とは、完全に一致している場合、所定の割合で一致している場合を含む。コントローラ１０は、判別したスマートフォン１の状態を状態データ９Ｘに記憶する。
【００３２】
例えば、利用者が手で持ったスマートフォン１を他機のリーダ／ライタにかざす場合、スマートフォン１は、他機のリーダ／ライタに近接した状態になる、あるいは、他機のリーダ／ライタに置かれた状態が維持される。すなわち、他機のリーダ／ライタにかざされる場合、スマートフォン１は、他機のリーダ／ライタの読み取り部近傍まで移動され、そこで静止した状態が維持される。
【００３３】
本実施形態では、スマートフォン１は、他機のリーダ／ライタ、ＩＣタグ等にかざされた状態を、上記の静止状態に含める場合について説明するが、これに限定されない。スマートフォン１は、例えば、他機のリーダ／ライタにかざされる場合の一連の動作に対応した判別用の加速度パターンを用いて、かざされた状態を上記の静止状態と区別するように構成されてもよい。
【００３４】
状態データ９Ｘは、移行した状態を示す状態情報を記憶している。コントローラ１０は、現在の状態から他の状態に遷移したと判別すると、遷移した状態を示すように状態データ９Ｘの状態情報を更新する。ＮＦＣモードデータ９Ｙは、ＮＦＣチップ１８が動作しているモードを示すモード情報を記憶している。なお、ＮＦＣチップ１８のモードについては、後述する。コントローラ１０は、ＮＦＣチップ１８のモードを変更すると、変更したモードを示すようにモード情報を更新する。設定データ９Ｚは、スマートフォン１のＮＦＣ機能が有効化されているか無効化されているかを示すＮＦＣ情報を含む。
【００３５】
本実施形態では、スマートフォン１は、加速度センサ１５をモーションセンサとして用いる場合について説明するが、これに限定されない。スマートフォン１は、例えば、ジャイロスコープ１７、方位センサ１６、近接センサ５、気圧センサ、赤外線モーションセンサ等をモーションセンサとしても用いてもよいし、各種センサを組み合わせて用いてもよい。
【００３６】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。コントローラ１０は、スマートフォン１の動作を統括的に制御して各種の機能を実現する。
【００３７】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、ジャイロスコープ１７、及びＮＦＣチップ１８を含むが、これらに限定されない。
【００３８】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００３９】
カメラ１２は、フロントフェイス１Ａに面している物体を撮影するインカメラである。カメラ１３は、バックフェイス１Ｂに面している物体を撮影するアウトカメラである。
【００４０】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４１】
加速度センサ１５は、スマートフォン１に働く加速度の方向及び大きさ、スマートフォン１の傾きの角度、重力加速度の大きさ及び方向を検出する。方位センサ１６は、地磁気の向きを検出する。ジャイロスコープ１７は、スマートフォン１の角度及び角速度を検出する。加速度センサ１５、方位センサ１６、及びジャイロスコープ１７の検出結果は、スマートフォン１の位置、姿勢、及び状態の変化を検出するために、組み合わせて利用される。
【００４２】
ＮＦＣチップ１８は、ＮＦＣ規格を用いた近距離無線により通信を行うＩＣチップである。ＮＦＣチップ１８は、アンテナ１９を介して近距離無線による通信を行う。アンテナ１９は、ハウジング２０内のバックフェイス１Ｂ寄りに配置されている。このため、ＮＦＣチップ１８は、アンテナ１９が配置されたハウジング２０のバックフェイス１Ｂの部分が、他機のリーダ／ライタ、ＩＣタグ等の上にかざされた場合に、近距離無線による通信の電波強度が強くなりやすい。
【００４３】
ＮＦＣチップ１８には、記憶領域が設けられている。記憶領域には、例えば、各種電子マネーに関する情報、通信履歴に関する情報等が記憶されている。例えば、電子マネーに関する情報としては、カード情報、残金情報、認証に必要な情報、課金方法の情報等が含まれる。
【００４４】
ＮＦＣチップ１８は、他機のリーダ／ライタと通信を行うことで、記憶領域に記憶している情報を他機のリーダ／ライタに送信したり、他機のリーダ／ライタから送られた情報を受信したりする。ＮＦＣチップ１８は、受信した情報を記憶領域に記憶する。このように、ＮＦＣチップ１８は、他機のリーダ／ライタと通信して、課金処理、個体識別の処理を行い、記憶されている情報の更新や、使用又はチャージに応じた残金情報の書き換えができる。また、ＩＣタグと通信して、ＩＣタグの情報の読み出し及び書き換えをすることができる。
【００４５】
ＮＦＣチップ１８は、複数の動作モードを有している。本実施形態では、ＮＦＣチップ１８の動作モードは、スタンバイモードと、リーダ／ライタモードとを有する場合について説明する。なお、ＮＦＣチップ１８は、例えば、他機のリーダ／ライタから送信される電波を用いて電磁誘導により電力を取得して受動的に動作するモード（いわゆる、カード・エミュレーションモード。）、２台のＮＦＣチップを有するデバイス同士間で双方向のデータ通信を行いペアリングするモード（いわゆる、Ｐ２Ｐモード。）等の他のモードを有してもよい。
【００４６】
スタンバイモードは、ＮＦＣチップ１８の電源は入っているが、動作を最小限に抑えているモード又はＮＦＣチップ１８の電源が入っていないモードである。スタンバイモードは、他のモードよりも省電力なモードである。例えば、スタンバイモードのＮＦＣチップ１８は、他機のリーダ／ライタからの搬送波を検知するが、搬送波を外部に送信する機能をＯＦＦにしている。つまり、スタンバイモードで動作している場合、ＮＦＣチップ１８は、能動的な送信が不可能な状態になっている。能動的な送信が不可能な状態とは、ＮＦＣチップ１８が搬送波を送信しない状態である。
【００４７】
リーダ／ライタモードは、ＮＦＣチップ１８が搬送波をスマートフォン１の外部に継続的又は周期的に送信し、他機のリーダ／ライタ、ＩＣタグ等と通信を行うモードである。例えば、リーダ／ライタモードのＮＦＣチップ１８は、搬送波を外部に送信する機能をＯＮにしている。つまり、リーダ／ライタモードで動作している場合、ＮＦＣチップ１８は、能動的な送信が可能な状態になっている。能動的な送信が可能な状態とは、ＮＦＣチップ１８が搬送波を送信する状態である。リーダ／ライタモードの場合、ＮＦＣチップ１８は、搬送波を継続的又は周期的に送信するので、スタンバイモードよりも電力を消費する。
【００４８】
ＮＦＣチップ１８は、コントローラ１０からスタンバイモードへの移行が要求されると、スタンバイモードに移行する。コントローラ１０は、例えば、タッチスクリーンディスプレイ２を消灯させる場合、歩行または走行の開始を検出した場合等の利用者がＮＦＣ通信を利用する可能性が低い場合に、ＮＦＣチップ１８にスタンバイモードへの移行を要求する。
【００４９】
図４においてストレージ９が記憶するプログラム及びデータの一部又は全部は、通信ユニット６による無線通信で他の装置からダウンロードされてもよい。図４においてストレージ９が記憶するプログラム及びデータの一部又は全部は、ストレージ９に含まれる読み取り装置が読み取り可能な非一過的な記憶媒体に記憶されていてもよい。図４においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５０】
図４に示したスマートフォン１の構成は例であり、本発明の要旨を損なわない範囲において適宜変更してよい。例えば、ボタン３の数と種類は図４の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図４に示した例では、スマートフォン１が２つのカメラを備えるが、スマートフォン１は、１つのカメラのみを備えてもよいし、カメラを備えなくてもよい。図４に示した例では、スマートフォン１が位置及び姿勢を検出するために４種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００５１】
図５を参照しながら、スマートフォン１による近距離無線通信に係る制御について説明する。図５は、スマートフォン１による近距離無線通信に係る制御の例を示す図である。以下の説明においては、同様の構成要素には同一の符号を付し、重複する説明は省略することがある。
【００５２】
図５に示すステップＳ１１では、利用者は、歩行した状態で、ＮＦＣチップ１８がスタンバイモードになっているスマートフォン１をズボンのポケットに収容している。スマートフォン１は、ステップＳ１１として、加速度センサ１５を動作させて、スマートフォン１の状態を監視している。この場合、スマートフォン１は、コントローラ１０と加速度センサ１５を動作させるだけで、自機の状態監視を実現することができる。
【００５３】
その後、利用者は、例えば、駅の改札、店舗等で決済処理を行うために、決済処理用のＮＦＣリーダ／ライタ５０に近付く。ＮＦＣリーダ／ライタ５０は、ＩＣチップ等から近距離無線通信で決済に必要な情報を取得し、取得した情報に基づいて決済処理、認証処理等を行う。そして、ＮＦＣリーダ／ライタ５０は、処理の結果を示す情報をＩＣチップ等に送信する。
【００５４】
ステップＳ１２では、利用者は、ポケットから取り出したスマートフォン１を手に持ち、当該スマートフォン１をＮＦＣリーダ／ライタ５０にかざす動作を行っている。この場合、スマートフォン１のＮＦＣチップ１８は、スタンバイモードになっているため、搬送波の送信が不可能な状態となっている。かざす動作とは、例えば、利用者が自機をＮＦＣリーダ／ライタ５０の読み取り部に近付けて静止させる動作、利用者が自機を読み取り部に近付けて置く動作、利用者が自機を読み取り部に近接させた状態でスライドさせる動作等を含む。
【００５５】
本実施形態では、スマートフォン１は、ＮＦＣチップ１８のアンテナ１９がハウジング２０内のバックフェイス１Ｂ寄りに配置されている。このため、ＮＦＣリーダ／ライタ５０にかざされる場合、スマートフォン１は、バックフェイス１ＢがＮＦＣリーダ／ライタ５０と対向している。この場合、スマートフォン１は、フロントフェイス１Ａが利用者の手によって覆われている場合がある。
【００５６】
ＮＦＣリーダ／ライタ５０にかざされて静止すると、スマートフォン１は、ステップＳ１２として、加速度センサ１５によって検出した検出結果に基づいて、手で自機を保持している保持状態から静止状態に遷移したと判別する。そして、スマートフォン１は、ＮＦＣチップ１８をスタンバイモードからリーダ／ライタモードに遷移させる。その結果、ＮＦＣチップ１８は、搬送波の送信が可能な状態になる。
【００５７】
このように、スマートフォン１は、常時にＮＦＣチップ１８をスタンバイモードで動作させていても、ＮＦＣチップ１８を動作させる必要性がある場合、自動でＮＦＣチップ１８をリーダ／ライタモードに移行させることができる。その結果、スマートフォン１は、ＮＦＣチップ１８をリーダ／ライタモードに変更するための利用者の設定変更操作を不要とすることができる。
【００５８】
例えば、常時、ＮＦＣチップ１８がリーダ／ライタモードになっている場合、ＮＦＣチップ１８から外部に搬送波を送信し続けてしまうために、スマートフォン１の消費電力が増大してしまう虞がある。しかし、ＮＦＣチップ１８は、能動的な送信が不可能なスタンバイモードである場合、搬送波を送信しないので、スマートフォン１の省電力化を図ることができる。本実施形態のスマートフォン１は、常時、ＮＦＣチップ１８を能動的な送信が不可能な状態で動作させても、利用者を煩わせることがなくモードを切り替え、かつＮＦＣチップ１８によるスマートフォン１の消費電力を抑制することができる。その結果、本実施形態は、省電力を容易に実現できるスマートフォン１を提供することができる。
【００５９】
ステップＳ１３では、利用者は、スマートフォン１をＮＦＣリーダ／ライタ５０にかざした状態を維持させている。そして、スマートフォン１のＮＦＣチップ１８は、ＮＦＣリーダ／ライタ５０から搬送波を受信すると、決済に必要な情報をＮＦＣリーダ／ライタ５０に送信し、決済の結果を示す情報をＮＦＣリーダ／ライタ５０から受信する。そして、ＮＦＣチップ１８は、決済の結果を示す情報を記憶領域に記憶する。
【００６０】
なお、スマートフォン１は、近距離無線通信が終了した後、ＮＦＣチップ１８のリーダ／ライタモードを維持させてもよいし、所定時間が経過した場合にリーダ／ライタモードからスタンバイモードに遷移させてもよい。例えば、スマートフォン１は、タッチスクリーンディスプレイ２を点灯状態から消灯状態に切り替える場合に、ＮＦＣチップ１８をリーダ／ライタモードからスタンバイモードに移行させるように構成されてもよい。例えば、ＮＦＣチップ１８がスタンバイモードである場合、スマートフォン１は、タッチスクリーンディスプレイ２を消灯状態から点灯状態に切り替えられても、ＮＦＣチップ１８のスタンバイモードを維持させるように構成されてもよい。
【００６１】
図６を参照しながら、スマートフォン１によるＮＦＣチップ１８に関する制御の処理手順について説明する。図６は、スマートフォン１による制御の例の処理手順を示すフローチャートである。図６に示す処理手順は、コントローラ１０が制御プログラム９Ａを実行することによって実現される。図６に示す処理手順は、スマートフォン１が制御を行っている場合に、繰り返して実行される。
【００６２】
図６に示すように、スマートフォン１のコントローラ１０は、ステップＳ１０１として、ストレージ９のＮＦＣモードデータ９Ｙに基づいて、ＮＦＣチップ１８がスタンバイモードであるかを判別する。ＮＦＣチップ１８はスタンバイモードではない場合（ステップＳ１０２，Ｎｏ）、コントローラ１０は、図６に示す処理手順を終了する。
【００６３】
ＮＦＣチップ１８はスタンバイモードである場合（ステップＳ１０２，Ｙｅｓ）、コントローラ１０は、ステップＳ１０３に進む。コントローラ１０は、ステップＳ１０３として、加速度センサ１５の検出結果に基づいて、スマートフォン１の状態を判別し、判別結果をストレージ９に記憶する。具体的には、コントローラ１０は、加速度センサ１５によって検出された加速度の検出結果と加速度パターンとを照らし合わせ、一致した加速度パターンに対応付けられた情報をスマートフォン１の状態として判別する。
【００６４】
続いて、コントローラ１０は、ステップＳ１０４として、ステップＳ１０３で判別した状態とストレージ９の状態データとに基づいて、スマートフォン１の状態が第１の状態から第２の状態に遷移したかを判別し、判別結果をストレージ９に記憶する。本実施形態では、第２の状態が静止状態であり、コントローラ１０は、スマートフォン１の状態が静止状態に遷移したかを判別している。
【００６５】
第１の状態から第２の状態に遷移していない場合（ステップＳ１０５，Ｎｏ）、スマートフォン１がＮＦＣリーダ／ライタ５０等にかざされている可能性が低いため、コントローラ１０は、図６に示す処理手順を終了する。
【００６６】
第１の状態から第２の状態に遷移した場合（ステップＳ１０５，Ｙｅｓ）、スマートフォン１がＮＦＣリーダ／ライタ５０等にかざされている可能性が高いため、コントローラ１０は、ステップＳ１０６に進む。コントローラ１０は、ステップＳ１０６として、ＮＦＣチップ１８をスタンバイモードからリーダ／ライタモードに移行させる制御を行う。具体的には、コントローラ１０は、ＮＦＣチップ１８にリーダ／ライタモードへの移行を要求し、ＮＦＣモードデータ９Ｙのモード情報をリーダ／ライタモードに更新する。その後、コントローラ１０は、図６に示す処理手順を終了する。
【００６７】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００６８】
例えば、図４に示した各プログラムは、複数のモジュールに分割されていてもよいし、他のプログラムと結合されていてもよい。
【００６９】
（第１の変形例）
例えば、利用者がスマートフォン１をテーブル、机等に置く動作と、スマートフォン１をＮＦＣリーダ／ライタ５０にかざす動作とは、類似している場合がある。このため、第１の変形例では、スマートフォン１は、かざす動作及び置く動作に対応した制御の例について説明する。
【００７０】
ＮＦＣチップ１８をスタンバイモードで動作している場合、スマートフォン１は、加速度センサ１５の検出結果に基づいて、自機の状態を判別する。スマートフォン１は、手で自機を保持している保持状態から静止状態に遷移したと判別した場合、利用者によってかざす動作が行われた可能性があるので、ＮＦＣチップ１８をスタンバイモードからリーダ／ライタモードに移行させる。その結果、ＮＦＣチップ１８は、能動的な送信が可能な状態になる。
【００７１】
リーダ／ライタモードのＮＦＣチップ１８は、スマートフォン１がＮＦＣリーダ／ライタ５０、ＩＣタグ等にかざされた場合は近距離無線通信を行うが、テーブル、机等に置かれた場合は近距離無線通信を行わない。このため、ＮＦＣチップ１８をリーダ／ライタモードに遷移させた後、スマートフォン１は、所定時間が経過するまでに、ＮＦＣチップ１８が通信を行ったかを判別する。所定時間とは、かざす動作と置く動作とを判別することが可能な時間である。
【００７２】
所定時間が経過するまでにＮＦＣチップ１８によって通信された場合、スマートフォン１は、ＮＦＣリーダ／ライタ５０、ＩＣタグ等にかざされた状態であると判別し、ＮＦＣチップ１８のリーダ／ライタモードを維持させる。所定時間が経過するまでにＮＦＣチップ１８によって通信されない場合、スマートフォン１は、ＮＦＣチップ１８をリーダ／ライタモードからスタンバイモードに移行させる。その結果、ＮＦＣチップ１８は、能動的な送信が不可能な状態になる。
【００７３】
このように、スマートフォン１は、加速度センサ１５の検出結果に基づいて、自動でＮＦＣチップ１８をリーダ／ライタモードに移行させても、ＮＦＣチップ１８によって通信されない場合は、ＮＦＣチップ１８をスタンバイモードに戻すことができる。その結果、スマートフォン１は、利用者のかざす動作と置く動作を判別し、省電力を容易に実現することができる。
【００７４】
図７を参照しながら、スマートフォン１によるＮＦＣチップ１８に関する制御の第１の変形例に対応した処理手順について説明する。図７は、スマートフォン１による制御の第１の変形例に対応した処理手順を示すフローチャートである。図７に示す処理手順は、コントローラ１０が制御プログラム９Ａを実行することによって実現される。図７に示す処理手順は、スマートフォン１が制御を行っている場合に、繰り返して実行される。
【００７５】
図７に示すように、スマートフォン１のコントローラ１０は、ステップＳ１０１として、ストレージ９のＮＦＣモードデータ９Ｙに基づいて、ＮＦＣチップ１８がスタンバイモードであるかを判別する。ＮＦＣチップ１８はスタンバイモードではない場合（ステップＳ１０２，Ｎｏ）、コントローラ１０は、図７に示す処理手順を終了する。
【００７６】
ＮＦＣチップ１８はスタンバイモードである場合（ステップＳ１０２，Ｙｅｓ）、コントローラ１０は、ステップＳ１０３に進む。コントローラ１０は、ステップＳ１０３として、加速度センサ１５の検出結果に基づいて、スマートフォン１の状態を判別し、判別結果をストレージ９に記憶する。
【００７７】
続いて、コントローラ１０は、ステップＳ１０４として、ステップＳ１０３で判別した状態とストレージ９の状態データとに基づいて、スマートフォン１の状態が第１の状態から第２の状態に遷移したかを判別し、判別結果をストレージ９に記憶する。
【００７８】
第１の状態から第２の状態に遷移していない場合（ステップＳ１０５，Ｎｏ）、スマートフォン１がＮＦＣリーダ／ライタ５０等にかざされている可能性が低いため、コントローラ１０は、図７に示す処理手順を終了する。
【００７９】
第１の状態から第２の状態に遷移した場合（ステップＳ１０５，Ｙｅｓ）、コントローラ１０は、ステップＳ１０６に進む。コントローラ１０は、ステップＳ１０６として、ＮＦＣチップ１８をスタンバイモードからリーダ／ライタモードに移行させる制御を行う。その後、コントローラ１０は、ステップＳ１０７に進む。
【００８０】
ＮＦＣチップ１８をリーダ／ライタモードに移行させてから所定時間が経過していない場合（ステップＳ１０７，Ｎｏ）、コントローラ１０は、この判定処理を繰り返す。ＮＦＣチップ１８をリーダ／ライタモードに移行させてから所定時間が経過した場合（ステップＳ１０７，Ｙｅｓ）、コントローラ１０は、ステップＳ１０８に進む。
【００８１】
コントローラ１０は、ステップＳ１０８として、ＮＦＣチップ１８によって通信されたかを判別し、判別結果をストレージ９に記憶する。具体的には、コントローラ１０は、ＮＦＣチップ１８をスタンバイモードからリーダ／ライタモードに移行させてからの通信履歴等に基づいて、ＮＦＣチップ１８によって通信されたかを判別する。
【００８２】
ＮＦＣチップ１８によって通信されていない場合（ステップＳ１０９，Ｙｅｓ）、コントローラ１０は、ステップＳ１１０に進む。コントローラ１０は、ステップＳ１１０として、ＮＦＣチップ１８をリーダ／ライタモードからスタンバイモードに移行させる制御を行う。具体的には、コントローラ１０は、ＮＦＣチップ１８にスタンバイモードへの移行を要求し、ＮＦＣモードデータ９Ｙのモード情報をスタンバイモードに更新する。その後、コントローラ１０は、図７に示す処理手順を終了する。
【００８３】
ＮＦＣチップ１８によって通信されている場合（ステップＳ１０９，Ｎｏ）、コントローラ１０は、ステップＳ１１１に進む。コントローラ１０は、ステップＳ１１１として、ＮＦＣチップ１８のリーダ／ライタモードを維持させる。すなわち、コントローラ１０は、ＮＦＣチップ１８のモードを遷移させずに、図７に示す処理手順を終了する。
【００８４】
（第２の変形例）
ＮＦＣチップ１８のアンテナ１９がハウジング２０内のバックフェイス１Ｂ寄りに配置されている場合、利用者は、タッチスクリーンディスプレイ２のフロントフェイス１Ａを覆うようにスマートフォン１を手に持った状態で、かざす動作を行う。このため、第２の変形例では、スマートフォン１は、第１の状態から第２の状態に遷移すると、タッチスクリーンディスプレイ２への接触の有無を判別する制御の例について説明する。
【００８５】
ＮＦＣチップ１８をスタンバイモードで動作している場合、スマートフォン１は、加速度センサ１５の検出結果に基づいて、自機の状態を判別する。スマートフォン１は、手で自機を保持している保持状態から静止状態に遷移したと判別した場合、タッチスクリーンディスプレイ２への接触が検出されているかを判別する。
【００８６】
タッチスクリーンディスプレイ２への接触が検出されている場合、スマートフォン１は、利用者によってかざす動作が行われた可能性があるので、ＮＦＣチップ１８をスタンバイモードからリーダ／ライタモードに移行させる。その結果、ＮＦＣチップ１８は、能動的な送信が可能な状態になる。
【００８７】
タッチスクリーンディスプレイ２への接触が検出されない場合、利用者によってかざす動作が行われていない可能性があるので、ＮＦＣチップ１８のスタンバイモードを維持させる。この結果、ＮＦＣチップ１８は、能動的な送信が不可能な状態を継続する。
【００８８】
このように、スマートフォン１は、加速度センサ１５の検出結果に基づいて、第２の状態に遷移したと判別しても、タッチスクリーンディスプレイ２への接触がある場合に、ＮＦＣチップ１８をリーダ／ライタモードに移行させることができる。その結果、スマートフォン１は、利用者のかざす動作の検出精度を向上させるとともに、省電力を容易に実現することができる。
【００８９】
図８を参照しながら、スマートフォン１によるＮＦＣチップ１８に関する制御の第２の変形例に対応した処理手順について説明する。図８は、スマートフォン１による制御の第２の変形例に対応した処理手順を示すフローチャートである。図８に示す処理手順は、コントローラ１０が制御プログラム９Ａを実行することによって実現される。図８に示す処理手順は、スマートフォン１が制御を行っている場合に、繰り返して実行される。
【００９０】
図８に示すように、スマートフォン１のコントローラ１０は、ステップＳ１０１として、ストレージ９のＮＦＣモードデータ９Ｙに基づいて、ＮＦＣチップ１８がスタンバイモードであるかを判別する。ＮＦＣチップ１８はスタンバイモードではない場合（ステップＳ１０２，Ｎｏ）、コントローラ１０は、図８に示す処理手順を終了する。
【００９１】
ＮＦＣチップ１８はスタンバイモードである場合（ステップＳ１０２，Ｙｅｓ）、コントローラ１０は、ステップＳ１０３に進む。コントローラ１０は、ステップＳ１０３として、加速度センサ１５の検出結果に基づいて、スマートフォン１の状態を判別し、判別結果をストレージ９に記憶する。
【００９２】
続いて、コントローラ１０は、ステップＳ１０４として、ステップＳ１０３で判別した状態とストレージ９の状態データとに基づいて、スマートフォン１の状態が第１の状態から第２の状態に遷移したかを判別し、判別結果をストレージ９に記憶する。
【００９３】
第１の状態から第２の状態に遷移していない場合（ステップＳ１０５，Ｎｏ）、コントローラ１０は、図８に示す処理手順を終了する。
【００９４】
第１の状態から第２の状態に遷移した場合（ステップＳ１０５，Ｙｅｓ）、コントローラ１０は、ステップＳ１２１に進む。コントローラ１０は、ステップＳ１２１として、タッチスクリーンディスプレイ２への接触が検出されているかを判別し、判別結果をストレージ９に記憶する。
【００９５】
タッチスクリーンディスプレイ２への接触が検出されている場合（ステップＳ１２２，Ｙｅｓ）、コントローラ１０は、ステップＳ１０６に進む。コントローラ１０は、ステップＳ１０６として、ＮＦＣチップ１８をスタンバイモードからリーダ／ライタモードに移行させる制御を行う。その後、コントローラ１０は、図８に示す処理手順を終了する。
【００９６】
タッチスクリーンディスプレイ２への接触が検出されない場合（ステップＳ１２２，Ｎｏ）、コントローラ１０は、ステップＳ１２３に進む。コントローラ１０は、ステップＳ１２３として、ＮＦＣチップ１８のスタンバイモードを維持させる。すなわち、コントローラ１０は、ＮＦＣチップ１８のモードを移行させずに、図８に示す処理手順を終了する。
【００９７】
上記の実施形態では、ＮＦＣチップ１８がスタンバイモードである場合、スマートフォン１は、手に持たれている状態から静止状態に遷移したと判別すると、ＮＦＣチップ１８をリーダ／ライタモードに移行させる場合について説明したが、これに限定されない。スマートフォン１は、静止状態に至るまでの自機の姿勢の変化に基づいて、ＮＦＣチップ１８のモードを移行させるかを判別するように構成されてもよい。
【００９８】
例えば、スマートフォン１のコントローラ１０は、第１の状態から第２の状態に遷移したと判別したとき、第２の状態と判別する直前の自機の姿勢情報に基づいて、ＮＦＣチップ１８を能動的な送信が可能な状態にする。自機の姿勢情報は、例えば、自機の加速度、傾きの角度、回転、重力加速度、回転運動の角速度等の状態を時系列的に示す情報を含む。例えば、コントローラ１０は、第２の状態と判別する直前の自機の姿勢情報が、利用者のかざす動作に対応した姿勢の変化を示している場合、ＮＦＣチップ１８を能動的な送信が可能な状態にするように制御する。例えば、コントローラ１０は、第２の状態と判別する直前の自機の姿勢情報が、利用者のかざす動作に対応した姿勢の変化を示していない場合、ＮＦＣチップ１８を能動的な送信が不可能な状態を維持するように制御する。
【００９９】
このように、スマートフォン１は、第２の状態に遷移したと判別したとき、第２の状態と判別する直前の自機の姿勢情報に基づいてＮＦＣチップ１８を能動的な送信が不可能な状態にすることができる。その結果、スマートフォン１は、利用者のかざす動作の検出精度を向上させるとともに、省電力を容易に実現することができる。
【０１００】
上記の実施形態では、スマートフォン１は、ＮＦＣリーダ／ライタ５０にかざされる場合について説明したが、これに限定されない。例えば、広告やポスターに仕込まれた非接触ＩＣタグにかざされる場合に、スマートフォン１は、ＮＦＣチップ１８をスタンバイモードからリーダ／ライタモードに移行させるように構成されてもよい。例えば、スマートフォン１は、自機の姿勢が広告やポスター等に対して水平な状態かつ静止状態に変化したと判別した場合に、ＮＦＣチップ１８をリーダ／ライタモードに移行させる。そして、スマートフォン１は、ＮＦＣチップ１８から非接触ＩＣタグに搬送波を送信し、当該搬送波に応じて非接触ＩＣタグから取得したＵＲＬの情報をタッチスクリーンディスプレイ２に表示する。
【０１０１】
上記の実施形態では、能動的な送信が可能な状態として、ＮＦＣチップ１８がリーダ／ライタモードであるものとして説明したが、能動的な送信が可能な状態として、ＮＦＣチップがＰ２Ｐモードであってもよい。
【０１０２】
上記の実施形態では、電子機器の例として、スマートフォンについて説明したが、添付の請求項に係る電子機器は、スマートフォンに限定されない。添付の請求項に係る電子機器は、スマートフォン以外の電子機器であってもよい。電子機器は、例えば、モバイルフォン、タブレット、携帯型パソコン、デジタルカメラ、メディアプレイヤ、電子書籍リーダ、ナビゲータ、及びゲーム機を含むが、これに限定されない。
【０１０３】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１０４】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｗ  加速度データ
９Ｘ  状態データ
９Ｙ  ＮＦＣモードデータ
９Ｚ  設定データ
１０  コントローラ
１１  スピーカ
１２、１３  カメラ
１４  コネクタ
１５  加速度センサ
１６  方位センサ
１７  ジャイロスコープ
１８  ＮＦＣチップ
１９  アンテナ
【図１】
2016092476.tif 000003
【図２】
2016092476.tif 000004
【図３】
2016092476.tif 000005
【図４】
2016092476.tif 000006
【図５】
2016092476.tif 000007
【図６】
2016092476.tif 000008
【図７】
2016092476.tif 000009
【図８】
2016092476.tif 000010